(57)【要約】【課題】測定結果の信頼性を向上すること。【解決手段】収納容器１００からの放射線量の計数値を検出する放射線検出器４（４Ａ，４Ｂ，４Ｃ）と、収納容器１００の同一範囲について放射線検出器４（４Ａ，４Ｂ，４Ｃ）から複数の計数値を取得し、当該複数の計数値が最大の計数値に基づく所定範囲内にあるか否かを判定する判定部９と、を備える。【選択図】図１
2015190808.tif 000002
【特許請求の範囲】
【請求項１】
測定対象からの放射線量の計数値を検出する放射線検出器と、
前記測定対象の同一範囲について前記放射線検出器から複数の計数値を取得し、当該複数の計数値が最大の計数値に基づく所定範囲内にあるか否かを判定する判定部と、
を備えることを特徴とする放射線量測定装置。
【請求項２】
前記測定対象を中心として前記測定対象と前記放射線検出器とを相対的に回転移動可能に設けた回転機構を備え、
前記判定部は、前記測定対象の同一範囲について回転１周期ごとに複数の計数値を取得し、最大の計数値の前後の少なくとも一方の周期の計数値が最大の計数値以下の前記所定範囲内にあるか否かを判定することを特徴とする請求項１に記載の放射線量測定装置。
【請求項３】
前記測定対象を中心として前記測定対象と前記放射線検出器とを相対的に回転移動可能に設けた回転機構を備え、
前記判定部は、前記測定対象の同一範囲について回転１周期ごとに複数の計数値を取得し、前記複数の計数値の平均が前記所定範囲内にあるか否かを判定することを特徴とする請求項１に記載の放射線量測定装置。
【請求項４】
前記回転機構は、前記測定対象と前記放射線検出器とを前記測定対象の回転の軸心に沿って相対的にスライド移動させるスライド機構に設けてあり、
前記判定部は、前記測定対象の同一範囲についてスライド移動を伴いつつ回転させて回転１周期ごとに複数の計数値を取得し判定することを特徴とする請求項２または３に記載の放射線量測定装置。
【請求項５】
前記測定対象の回転の軸心上に別の放射線検出器がさらに配置され、
前記判定部は、固定された前記測定対象の同一範囲について所定時間で前記別の放射線検出器から複数の放射線量の計数値を取得し、最大と最小の計数値の差が前記所定範囲内にあるか否かを判定することを特徴とする請求項２〜４のいずれか一つに記載の放射線量測定装置。
【請求項６】
前記測定対象の回転の軸心上に別の放射線検出器がさらに配置され、
前記判定部は、固定された前記測定対象の同一範囲について所定時間で前記放射線検出器から複数の放射線量の計数値を取得し、前記複数の計数値の平均が前記所定範囲内にあるか否かを判定することを特徴とする請求項２〜４のいずれか一つに記載の放射線量測定装置。
【請求項７】
前記判定部は、固定された前記測定対象の同一範囲について所定時間で前記放射線検出器から複数の計数値を取得し、最大と最小の計数値の差が前記所定範囲内にあるか否かを判定することを特徴とする請求項１に記載の放射線量測定装置。
【請求項８】
前記判定部は、固定された前記測定対象の同一範囲について所定時間で前記放射線検出器から複数の計数値を取得し、前記複数の計数値の平均が前記所定範囲内にあるか否かを判定することを特徴とする請求項１に記載の放射線量測定装置。
【請求項９】
測定対象の同一範囲について複数の放射線量の計数値を取得し、当該複数の計数値が最大の計数値に基づく所定範囲内にあるか否かを判定することを特徴とする放射線量測定方法。
【請求項１０】
前記測定対象の同一範囲について回転１周期ごとに複数の計数値を取得し、最大の計数値の前後の少なくとも一方の周期の計数値が最大の計数値以下の前記所定範囲内にあるか否かを判定することを特徴とする請求項９に記載の放射線量測定方法。
【請求項１１】
前記測定対象の同一範囲について回転１周期ごとに複数の計数値を取得し、前記複数の計数値の平均が前記所定範囲内にあるか否かを判定することを特徴とする請求項９に記載の放射線量測定方法。
【請求項１２】
固定された前記測定対象の同一範囲について所定時間で複数の放射線量の計数値を取得し、最大と最小の計数値の差が前記所定範囲内にあるか否かを判定することを特徴とする請求項９〜１１のいずれか一つに記載の放射線量測定方法。
【請求項１３】
固定された前記測定対象の同一範囲について所定時間で複数の放射線量の計数値を取得し、前記複数の計数値の平均が前記所定範囲内にあるか否かを判定することを特徴とする請求項９〜１１のいずれか一つに記載の放射線量測定方法。
【発明の詳細な説明】
【技術分野】
【０００１】
本発明は、放射能を測定するための放射線量測定装置および方法に関するものである。
【背景技術】
【０００２】
従来、例えば、特許文献１では、物収納容器の外部に、放射線検出器を、収納容器に対し相対的に回転かつ昇降自在に配置し、収納容器内の放射能量を求める装置が記載されている。
【先行技術文献】
【特許文献】
【０００３】
【特許文献１】特開平７−１５９５４１号公報
【発明の概要】
【発明が解決しようとする課題】
【０００４】
収納容器から出る放射線量（線量当量率）を求めるにあたって、宇宙線やノイズなどの外部要因による突発的な事象が検出器で検知された場合、この外部要因を収納容器から出る放射線量として判定する可能性がある。このような場合、収納容器から出る放射線量が所定範囲内であるにもかかわらず不合格（所定範囲外）となる問題や、再測定を行ったときに収納容器から出る放射線量は変わらないため測定の再現性がない問題がある。
【０００５】
本発明は上述した課題を解決するものであり、測定結果の信頼性を向上することのできる放射線量測定装置および方法を提供することを目的とする。
【課題を解決するための手段】
【０００６】
上述の目的を達成するために、第１の発明の放射線量測定装置は、測定対象からの放射線量の計数値を検出する放射線検出器と、前記測定対象の同一範囲について前記放射線検出器から複数の計数値を取得し、当該複数の計数値が最大の計数値に基づく所定範囲内にあるか否かを判定する判定部と、を備えることを特徴とする。
【０００７】
この放射線量測定装置によれば、取得した複数の計数値が、最大の計数値に基づく所定範囲内にあることで、宇宙線やノイズなどの外部要因による突発的な事象はないと判定することができる。一方、取得した複数の計数値が、最大の計数値に基づく所定範囲外にあることで、最大の計数値において宇宙線やノイズなどの外部要因による突発的な事象があったものと判定することができる。この結果、測定結果の信頼性を向上することができる。
【０００８】
第２の発明の放射線量測定装置は、第１の発明において、前記測定対象を中心として前記測定対象と前記放射線検出器とを相対的に回転移動可能に設けた回転機構を備え、前記判定部は、前記測定対象の同一範囲について回転１周期ごとに複数の計数値を取得し、最大の計数値の前後の少なくとも一方の周期の計数値が最大の計数値以下の前記所定範囲内にあるか否かを判定することを特徴とする。
【０００９】
この放射線量測定装置によれば、収納容器の同一範囲について回転１周期ごとに複数の計数値を取得し、最大の計数値の前後の少なくとも一方の周期の計数値が最大の計数値以下の所定範囲内にあることで、宇宙線やノイズなどの外部要因による突発的な事象はないと判定することができる。一方、最大の計数値の前後の少なくとも一方の周期の計数値が最大の計数値以下の所定範囲外にあることで、最大の計数値において宇宙線やノイズなどの外部要因による突発的な事象があったものと判定することができる。この結果、測定結果の信頼性を向上することができる。なお、最大の計数値の前後の周期の計数値が最大の計数値以下の所定範囲内にあるか否かを判定すれば、測定結果の信頼性をより向上することができる。
【００１０】
第３の発明の放射線量測定装置は、第１の発明において、前記測定対象を中心として前記測定対象と前記放射線検出器とを相対的に回転移動可能に設けた回転機構を備え、前記判定部は、前記測定対象の同一範囲について回転１周期ごとに複数の計数値を取得し、前記複数の計数値の平均が前記所定範囲内にあるか否かを判定することを特徴とする。
【００１１】
この放射線量測定装置によれば、収納容器の同一範囲について回転１周期ごとに複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【００１２】
第４の発明の放射線量測定装置は、第２または第３の発明において、前記回転機構は、前記測定対象と前記放射線検出器とを前記測定対象の回転の軸心に沿って相対的にスライド移動させるスライド機構に設けてあり、前記判定部は、前記測定対象の同一範囲についてスライド移動を伴いつつ回転させて回転１周期ごとに複数の計数値を取得し判定することを特徴とする。
【００１３】
この放射線量測定装置によれば、収納容器をスライド移動させつつ回転させた状態で複数の計数値を取得することで、連続した螺旋状の軌跡で計数値が得られることから、計数値を効率よく取得することができる。
【００１４】
第５の発明の放射線量測定装置は、第２〜４のいずれか一つの発明において、前記測定対象の回転の軸心上に別の放射線検出器がさらに配置され、前記判定部は、固定された前記測定対象の同一範囲について所定時間で前記別の放射線検出器から複数の放射線量の計数値を取得し、最大と最小の計数値の差が前記所定範囲内にあるか否かを判定することを特徴とする。
【００１５】
この放射線量測定装置によれば、固定された収納容器の同一範囲について所定時間で複数の計数値を取得し、最大と最小の計数値の差が所定範囲内にあることで、宇宙線やノイズなどの外部要因による突発的な事象はないと判定することができる。一方、最大と最小の計数値の差が所定範囲外にあることで、最大の計数値において宇宙線やノイズなどの外部要因による突発的な事象があったものと判定することができる。この結果、測定結果の信頼性を向上することができる。
【００１６】
第６の発明の放射線量測定装置は、第２〜４のいずれか一つの発明において、前記測定対象の回転の軸心上に別の放射線検出器がさらに配置され、前記判定部は、固定された前記測定対象の同一範囲について所定時間で前記放射線検出器から複数の放射線量の計数値を取得し、前記複数の計数値の平均が前記所定範囲内にあるか否かを判定することを特徴とする。
【００１７】
この放射線量測定装置によれば、固定された収納容器の同一範囲について所定時間で複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【００１８】
第７の発明の放射線量測定装置は、第１の発明において、前記判定部は、固定された前記測定対象の同一範囲について所定時間で前記放射線検出器から複数の計数値を取得し、最大と最小の計数値の差が前記所定範囲内にあるか否かを判定することを特徴とする。
【００１９】
この放射線量測定装置によれば、固定された収納容器の同一範囲について所定時間で複数の計数値を取得し、最大と最小の計数値の差が所定範囲内にあることで、宇宙線やノイズなどの外部要因による突発的な事象はないと判定することができる。一方、最大と最小の計数値の差が所定範囲外にあることで、最大の計数値において宇宙線やノイズなどの外部要因による突発的な事象があったものと判定することができる。この結果、測定結果の信頼性を向上することができる。
【００２０】
第８の発明の放射線量測定装置は、第１の発明において、前記判定部は、固定された前記測定対象の同一範囲について所定時間で前記放射線検出器から複数の計数値を取得し、前記複数の計数値の平均が前記所定範囲内にあるか否かを判定することを特徴とする。
【００２１】
この放射線量測定装置によれば、固定された収納容器の同一範囲について所定時間で複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【００２２】
上述の目的を達成するために、第９の発明の放射線量測定方法は、測定対象の同一範囲について複数の放射線量の計数値を取得し、当該複数の計数値が最大の計数値に基づく所定範囲内にあるか否かを判定することを特徴とする。
【００２３】
この放射線量測定方法によれば、取得した複数の計数値が、最大の計数値に基づく所定範囲内にあることで、宇宙線やノイズなどの外部要因による突発的な事象はないと判定することができる。一方、取得した複数の計数値が、最大の計数値に基づく所定範囲外にあることで、最大の計数値において宇宙線やノイズなどの外部要因による突発的な事象があったものと判定することができる。この結果、測定結果の信頼性を向上することができる。
【００２４】
第１０の発明の放射線量測定方法は、第９の発明において、前記測定対象の同一範囲について回転１周期ごとに複数の計数値を取得し、最大の計数値の前後の少なくとも一方の周期の計数値が最大の計数値以下の前記所定範囲内にあるか否かを判定することを特徴とする。
【００２５】
この放射線量測定方法によれば、収納容器の同一範囲について回転１周期ごとに複数の計数値を取得し、最大の計数値の前後の少なくとも一方の周期の計数値が最大の計数値以下の所定範囲内にあることで、宇宙線やノイズなどの外部要因による突発的な事象はないと判定することができる。一方、最大の計数値の前後の少なくとも一方の周期の計数値が最大の計数値以下の所定範囲外にあることで、最大の計数値において宇宙線やノイズなどの外部要因による突発的な事象があったものと判定することができる。この結果、測定結果の信頼性を向上することができる。なお、最大の計数値の前後の周期の計数値が最大の計数値以下の所定範囲内にあるか否かを判定すれば、測定結果の信頼性をより向上することができる。
【００２６】
第１１の発明の放射線量測定方法は、第９の発明において、前記測定対象の同一範囲について回転１周期ごとに複数の計数値を取得し、前記複数の計数値の平均が前記所定範囲内にあるか否かを判定することを特徴とする。
【００２７】
この放射線量測定方法によれば、収納容器の同一範囲について回転１周期ごとに複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【００２８】
第１２の発明の放射線量測定方法は、第９〜１１のいずれか一つの発明において、固定された前記測定対象の同一範囲について所定時間で複数の放射線量の計数値を取得し、最大と最小の計数値の差が前記所定範囲内にあるか否かを判定することを特徴とする。
【００２９】
この放射線量測定方法によれば、固定された収納容器の同一範囲について所定時間で複数の計数値を取得し、最大と最小の計数値の差が所定範囲内にあることで、宇宙線やノイズなどの外部要因による突発的な事象はないと判定することができる。一方、最大と最小の計数値の差が所定範囲外にあることで、最大の計数値において宇宙線やノイズなどの外部要因による突発的な事象があったものと判定することができる。この結果、測定結果の信頼性を向上することができる。
【００３０】
第１３の発明の放射線量測定方法は、第９〜１１のいずれか一つの発明において、固定された前記測定対象の同一範囲について所定時間で複数の放射線量の計数値を取得し、前記複数の計数値の平均が前記所定範囲内にあるか否かを判定することを特徴とする。
【００３１】
この放射線量測定方法によれば、固定された収納容器の同一範囲について所定時間で複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【発明の効果】
【００３２】
本発明によれば、測定結果の信頼性を向上することができる。
【図面の簡単な説明】
【００３３】
【図１】図１は、本発明の実施形態に係る放射線量測定装置の概略構成図である。
【図２】図２は、本発明の実施形態に係る放射線量測定装置の測定の説明図である。
【図３】図３は、本発明の実施形態に係る放射線量測定装置の判定の説明図である。
【図４】図４は、本発明の実施形態に係る放射線量測定装置の判定の説明図である。
【発明を実施するための形態】
【００３４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００３５】
図１は、本実施形態に係る放射線量測定装置の概略構成図である。図１に示すように、放射線量測定装置１は、放射性廃棄物が収納された収納容器（測定対象）１００から出る放射線量を測定するものである。本実施形態でいう放射線量は、人間が単位時間当たりに受ける放射線によって現れる影響の度合いを示す線量当量率に相当する。また、収納容器１００は、例えば、収納された放射性廃棄物を保管するにあたって規格化されたもので、例えば、円筒形状のドラム缶がある。また、収納容器１００に収納される放射性廃棄物は、濃縮廃液や使用済樹脂を固化した均一固化体の他、溶融固化体または充填固化体がある。溶融固化体は、放射性廃棄物を加熱・溶融した状態で収納容器１００に収納されて固化したものである。一方、充填固化体は、金属やプラスチックなどの放射性廃棄物を収納容器１００内で充填材（モルタルなど）により固化したものである。
【００３６】
放射線量測定装置１は、図１に示すように、回転機構２と、昇降機構（スライド機構）３と、放射線検出器４と、増幅器５と、シングルチャンネルアナライザ（ＳＣＡ）６と、マルチチャンネルスケーラ（ＭＣＳ）７と、データ収集部８と、判定部９と、データ処理部１０と、を有する。
【００３７】
回転機構２は、収納容器１００を立てた状態で載置し、当該収納容器１００を円筒形状の中心である軸心Ｓの廻りに回転移動させる。
【００３８】
昇降機構３は、回転機構２を収納容器１００と共に軸心Ｓに沿って昇降するようにスライド移動させる。
【００３９】
従って、放射線量測定装置１は、回転機構２と昇降機構３とを共に用いることで収納容器１００を回転させながら昇降させることができる。また、放射線量測定装置１は、昇降機構３を用いることで、収納容器１００を所定の高さに移動させることができる。
【００４０】
放射線検出器４は、放射線を検出するものである。本実施形態では、例えば、測定対象をγ線とし、ＣｓＩシンチレーション検出器が適用される。また、本実施形態において、放射線検出器４は、３箇所に配置されている。１箇所目の放射線検出器４Ａは、収納容器１００の側部から放射される放射線を検出するように、収納容器１００の回転の軸心Ｓに対して直交する方向に向けて配置されている。２箇所目の放射線検出器４Ｂは、収納容器１００の底部から放射される放射線を検出するように、収納容器１００の回転の軸心Ｓ上で上方に向けて配置されている。２箇所目の放射線検出器４Ｃは、収納容器１００の上部から放射される放射線を検出するように、収納容器１００の回転の軸心Ｓ上で下方に向けて配置されている。
【００４１】
増幅器５は、各放射線検出器４（４Ａ，４Ｂ，４Ｃ）に対応してそれぞれ設けられ、放射線検出器４により検出された収納容器１００の表面における放射線による信号を増幅する。
【００４２】
シングルチャンネルアナライザ６は、増幅器５により増幅された信号において、当該信号レベルで保証できる範囲を選択する。
【００４３】
マルチチャンネルスケーラ７は、搭載したカウンタにより設定した時間において放射線検出器４により検出された信号を取得する。
【００４４】
データ収集部８は、マルチチャンネルスケーラ７で取得された信号を計数値として収集し記憶する。
【００４５】
判定部９は、データ収集部８で記憶された計数値から、当該計数値が適切なものであるかを判定する。
【００４６】
データ処理部１０は、判定部９で判定された計数値を線量当量率に換算する。
【００４７】
この放射線量測定装置１は、放射線検出器４Ａを用いた収納容器１００の側面１００ａの測定と、放射線検出器４Ｂ，４Ｃを用いた収納容器１００の下面１００ｂおよび上面１００ｃの測定とがそれぞれ行われる。
【００４８】
図２は、本実施形態に係る放射線量測定装置の測定の説明図である。収納容器１００に充填固化体が収納されている場合、図２に示すように、放射線検出器４Ａを用いた収納容器１００の側面１００ａの測定では、回転機構２により収納容器１００を回転移動させながら、昇降機構３により収納容器１００を上昇移動させて螺旋状に測定を行う。この回転移動と上昇移動とで、収納容器１００の側面１００ａは、例えば、回転移動方向に１２秒で１回転させて１秒ごとに計数値の信号を取得するようにして１２分割に区分される（図２に示す区分線Ｐ）。また、収納容器１００の側面１００ａは、例えば、上昇方向に６００秒で１ストロークさせて１秒ごとに計数値の信号を取得するようにして合計６００分割に区分される（図２に示す区分線Ｐ：図２では８分割で例示する）。
【００４９】
また、収納容器１００に充填固化体が収納されている場合、放射線検出器４Ｂ，４Ｃを用いた収納容器１００の下面１００ｂや上面１００ｃの測定では、昇降機構３により収納容器１００をスライド移動させて所定位置で停止させて測定を行う。収納容器１００に充填固化体が収納されている場合は、収納容器１００の下面１００ｂおよび上面１００ｃの中央部および外周部を２分割する。具体的には、放射線検出器４Ｂ，４Ｃに対して収納容器１００の下面１００ｂや上面１００ｃを近づけることで中央部の計数値を測定し、遠ざけることで外周部の計数値を測定する。なお、停止は、例えば１０秒間で１秒毎に計数値の信号を取得する。
【００５０】
一方、収納容器１００に均一固化体が収納されている場合、放射線検出器４Ａを用いた収納容器１００の側面１００ａの測定では、充填固化体の場合と同様に、回転機構２により収納容器１００を回転移動させながら、昇降機構３により収納容器１００を上昇移動させて螺旋状に測定を行う。ただし、上下方向の分割は、２００秒で１ストロークさせて１秒毎に計数値の信号を取得するようにして２００分割に区分される。
【００５１】
また、収納容器１００に均一固化体が収納されている場合、放射線検出器４Ｂ，４Ｃを用いた収納容器１００の下面１００ｂや上面１００ｃの測定では、充填固化体の場合と同様に、昇降機構３により収納容器１００をスライド移動させて所定位置で停止させて測定を行う。収納容器１００に均一固化体が収納されている場合は、収納容器１００の下面１００ｂおよび上面１００ｃの中央部のみとする。具体的には、放射線検出器４Ｂ，４Ｃに収納容器１００の下面１００ｂや上面１００ｃを近づけることで中央部の計数値を測定する。
【００５２】
放射線量測定装置１による計測手順としては、まず、収納容器１００の下面１００ｂの計数値を測定する。次に、収納容器１００の側面の計数値を測定する。次に、収納容器１００の上面の計数値を測定する。次に、計数値を判定する。最後に、測定した計数値を線量当量率に換算する。
【００５３】
このような放射線量測定装置１の判定部９における判定について説明する。図３および図４は、本実施形態に係る放射線量測定装置の判定の説明図である。図３は、収納容器１００の側面１００ａの測定における判定について示しており、図４は、収納容器１００の下面１００ｂや上面１００ｃの測定における判定について示している。
【００５４】
図３に示すように、収納容器１００の側面１００ａの測定では、上昇方向の同じ１分割（本実施形態では６００分の１）の範囲において、複数回転分の計数値の測定を行える。つまり、上昇中の同じ１分割の範囲において、１回転に掛かる１周期ｔ秒（１２秒）ごとに複数回転分の計数値が得られるから、判定部９では、この複数回転分の計数値に周期性があるかを判定する。すなわち、判定部９は、複数の計数値が、所定の計数値に基づく所定範囲内にあるか否かを判定する。具体的には、複数の計数値のうちの最大の計数値を基準とし、この最大の計数値の前後の周期の計数値が最大の計数値以下の所定範囲内にあるか否かを判定する。ここで、所定範囲とは、最大の計数値（Ｎ（ｍａｘ））の標準偏差（σ）の３倍（３σ）とする。そして、判定部９は、最大の計数値の前後の周期の計数値が最大の計数値以下の所定範囲内にあれば、宇宙線やノイズなどの外部要因による突発的な事象はないと判定する。一方、判定部９は、最大の計数値の前後の周期の計数値が最大の計数値以下の所定範囲外（以下）にあれば、最大の計数値において宇宙線やノイズなどの外部要因による突発的な事象があったものと判定する。
【００５５】
なお、判定部９は、上昇方向の同じ１分割の範囲において、最大の計数値を基準とし、この最大の計数値の前後のいずれか一方の周期の計数値が最大の計数値以下の所定範囲内にあるか否かを判定してもよい。また、判定部９は、上昇方向の同じ１分割の範囲において、平均の放射線量が所定範囲内にあるか否かを判定してもよい。
【００５６】
また、上述した放射線量測定装置１では、回転機構２により収納容器１００を回転移動させながら、昇降機構３により収納容器１００を上昇移動させて螺旋状に測定を行っているが、上昇移動を１分割ごとに停止させ、そこで回転移動させて同じ１分割を複数回転分測定してもよい。
【００５７】
図４に示すように、収納容器１００の下面１００ｂや上面１００ｃの測定では、所定時間に複数回の測定を行える。つまり、同一範囲で複数（ここでは１０秒間で１秒ごとに１０回分）の計数値が得られるから、判定部９では、複数の計数値が、所定の計数値に基づく所定範囲内にあるか否かを判定する。具体的には、複数の計数値のうちの最大および最小の計数値を基準とし、最大と最小の計数値の差が所定範囲内にあるか否かを判定する。ここで、所定範囲とは、最大の計数値（Ｎ（ｍａｘ））の標準偏差（σ）の３倍（３σ）とする。そして、判定部９は、最大と最小の計数値の差が所定範囲内にあれば、宇宙線やノイズなどの外部要因による突発的な事象はないと判定する。一方、判定部９は、最大と最小の計数値の差が所定範囲外（以下）にあれば、最大の計数値において宇宙線やノイズなどの外部要因による突発的な事象があったものと判定する。
【００５８】
以上説明したように、本実施形態の放射線量測定装置１は、収納容器（測定対象）１００からの放射線量の計数値を検出する放射線検出器４（４Ａ，４Ｂ，４Ｃ）と、収納容器１００の同一範囲について放射線検出器４（４Ａ，４Ｂ，４Ｃ）から複数の計数値を取得し、当該複数の計数値が最大の計数値に基づく所定範囲内にあるか否かを判定する判定部９と、を備える。
【００５９】
この放射線量測定装置１によれば、取得した複数の計数値が、最大の計数値に基づく所定範囲内にあることで、宇宙線やノイズなどの外部要因による突発的な事象はないと判定することができる。一方、取得した複数の計数値が、最大の計数値に基づく所定範囲外にあることで、最大の計数値において宇宙線やノイズなどの外部要因による突発的な事象があったものと判定することができる。この結果、測定結果の信頼性を向上することができる。
【００６０】
また、本実施形態の放射線量測定装置１は、収納容器１００を中心として収納容器１００と放射線検出器４（４Ａ）とを相対的に回転移動可能に設けた回転機構２を備え、判定部９は、収納容器１００の同一範囲について回転１周期ごとに複数の計数値を取得し、最大の計数値の前後の少なくとも一方の周期の計数値が最大の計数値以下の所定範囲内にあるか否かを判定する。
【００６１】
この放射線量測定装置１によれば、収納容器１００と放射線検出器４（４Ａ）との相対的な回転移動により、収納容器１００の同一範囲について回転１周期ごとに複数の計数値を取得し、最大の計数値の前後の少なくとも一方の周期の計数値が最大の計数値以下の所定範囲内にあることで、宇宙線やノイズなどの外部要因による突発的な事象はないと判定することができる。一方、最大の計数値の前後の少なくとも一方の周期の計数値が最大の計数値以下の所定範囲外にあることで、最大の計数値において宇宙線やノイズなどの外部要因による突発的な事象があったものと判定することができる。この結果、測定結果の信頼性を向上することができる。なお、最大の計数値の前後の周期の計数値が最大の計数値以下の所定範囲内にあるか否かを判定すれば、測定結果の信頼性をより向上することができる。
【００６２】
また、本実施形態の放射線量測定装置１は、収納容器１００を中心として収納容器１００と放射線検出器４（４Ａ）とを相対的に回転移動可能に設けた回転機構２を備え、判定部９は、収納容器１００の同一範囲について回転１周期ごとに複数の計数値を取得し、複数の計数値の平均が所定範囲内にあるか否かを判定する。
【００６３】
この放射線量測定装置１によれば、収納容器１００と放射線検出器４（４Ａ）との相対的な回転移動により、収納容器１００の同一範囲について回転１周期ごとに複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【００６４】
また、本実施形態の放射線量測定装置１では、回転機構２は、収納容器１００と放射線検出器４（４Ａ）とを回転の軸心Ｓに沿って相対的にスライド移動させる昇降機構（スライド機構）３に設けてあり、判定部９は、収納容器１００の同一範囲についてスライド移動を伴いつつ回転させて回転１周期ごとに複数の計数値を取得し判定する。
【００６５】
この放射線量測定装置１によれば、収納容器１００をスライド移動させつつ回転させた状態で複数の計数値を取得することで、連続した螺旋状の軌跡で計数値が得られることから、計数値を効率よく取得することができる。
【００６６】
また、本実施形態の放射線量測定装置１は、収納容器１００の回転の軸心Ｓ上に別の放射線検出器４（４Ｂ，４Ｃ）がさらに配置され、判定部９は、固定された収納容器１００の同一範囲について所定時間で別の放射線検出器４（４Ｂ，４Ｃ）から複数の放射線量の計数値を取得し、最大と最小の計数値の差が所定範囲内にあるか否かを判定する。
【００６７】
この放射線量測定装置１によれば、固定された収納容器１００の同一範囲について所定時間で複数の計数値を取得し、最大と最小の計数値の差が所定範囲内にあることで、宇宙線やノイズなどの外部要因による突発的な事象はないと判定することができる。一方、最大と最小の計数値の差が所定範囲外にあることで、最大の計数値において宇宙線やノイズなどの外部要因による突発的な事象があったものと判定することができる。この結果、測定結果の信頼性を向上することができる。
【００６８】
また、本実施形態の放射線量測定装置１は、収納容器１００の回転の軸心Ｓ上に別の放射線検出器４（４Ｂ，４Ｃ）がさらに配置され、判定部９は、固定された収納容器１００の同一範囲について所定時間で放射線検出器４（４Ｂ，４Ｃ）から複数の放射線量の計数値を取得し、その平均が所定範囲内にあるか否かを判定する。
【００６９】
この放射線量測定装置１によれば、固定された収納容器１００の同一範囲について所定時間で複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【００７０】
また、本実施形態の放射線量測定装置１では、判定部９は、固定された収納容器１００の同一範囲について所定時間で放射線検出器４（４Ｂ，４Ｃ）から複数の計数値を取得し、最大と最小の計数値の差が所定範囲内にあるか否かを判定する。
【００７１】
この放射線量測定装置１によれば、固定された収納容器１００の同一範囲について所定時間で複数の計数値を取得し、最大と最小の計数値の差が所定範囲内にあることで、宇宙線やノイズなどの外部要因による突発的な事象はないと判定することができる。一方、最大と最小の計数値の差が所定範囲外にあることで、最大の計数値において宇宙線やノイズなどの外部要因による突発的な事象があったものと判定することができる。この結果、測定結果の信頼性を向上することができる。
【００７２】
また、本実施形態の放射線量測定装置１では、判定部９は、固定された収納容器１００の同一範囲について所定時間で放射線検出器４（４Ｂ，４Ｃ）から複数の計数値を取得し、複数の計数値の平均が所定範囲内にあるか否かを判定する。
【００７３】
この放射線量測定装置１によれば、固定された収納容器１００の同一範囲について所定時間で複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【００７４】
また、本実施形態の放射線量測定方法は、収納容器（測定対象）１００の同一範囲について複数の放射線量の計数値を取得し、当該複数の計数値が最大の計数値に基づく所定範囲内にあるか否かを判定する。
【００７５】
この放射線量測定方法によれば、取得した複数の計数値が、最大の計数値に基づく所定範囲内にあることで、宇宙線やノイズなどの外部要因による突発的な事象はないと判定することができる。一方、取得した複数の計数値が、最大の計数値に基づく所定範囲外にあることで、最大の計数値において宇宙線やノイズなどの外部要因による突発的な事象があったものと判定することができる。この結果、測定結果の信頼性を向上することができる。
【００７６】
また、本実施形態の放射線量測定方法は、収納容器１００の同一範囲について回転１周期ごとに複数の計数値を取得し、最大の計数値の前後の少なくとも一方の周期の計数値が最大の計数値以下の所定範囲内にあるか否かを判定する。
【００７７】
この放射線量測定方法によれば、収納容器１００の同一範囲について回転１周期ごとに複数の計数値を取得し、最大の計数値の前後の少なくとも一方の周期の計数値が最大の計数値以下の所定範囲内にあることで、宇宙線やノイズなどの外部要因による突発的な事象はないと判定することができる。一方、最大の計数値の前後の少なくとも一方の周期の計数値が最大の計数値以下の所定範囲外にあることで、最大の計数値において宇宙線やノイズなどの外部要因による突発的な事象があったものと判定することができる。この結果、測定結果の信頼性を向上することができる。なお、最大の計数値の前後の周期の計数値が最大の計数値以下の所定範囲内にあるか否かを判定すれば、測定結果の信頼性をより向上することができる。
【００７８】
また、本実施形態の放射線量測定方法は、収納容器１００の同一範囲について回転１周期ごとに複数の計数値を取得し、複数の計数値の平均が所定範囲内にあるか否かを判定する。
【００７９】
この放射線量測定方法によれば、収納容器１００の同一範囲について回転１周期ごとに複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【００８０】
また、本実施形態の放射線量測定方法は、固定された収納容器１００の同一範囲について所定時間で複数の放射線量の計数値を取得し、最大と最小の計数値の差が所定範囲内にあるか否かを判定する。
【００８１】
この放射線量測定方法によれば、固定された収納容器１００の同一範囲について所定時間で複数の計数値を取得し、最大と最小の計数値の差が所定範囲内にあることで、宇宙線やノイズなどの外部要因による突発的な事象はないと判定することができる。一方、最大と最小の計数値の差が所定範囲外にあることで、最大の計数値において宇宙線やノイズなどの外部要因による突発的な事象があったものと判定することができる。この結果、測定結果の信頼性を向上することができる。
【００８２】
また、本実施形態の放射線量測定方法は、固定された収納容器１００の同一範囲について所定時間で複数の放射線量の計数値を取得し、複数の計数値の平均が所定範囲内にあるか否かを判定する。
【００８３】
この放射線量測定方法によれば、固定された収納容器１００の同一範囲について所定時間で複数の計数値を取得し、複数の計数値の平均が所定範囲内にあることで、宇宙線やノイズなどの外部要因による突発的な事象はないと判定することができる。一方、複数の計数値の平均が所定範囲外にあることで、最大の計数値において宇宙線やノイズなどの外部要因による突発的な事象があったものと判定することができる。この結果、測定結果の信頼性を向上することができる。
【符号の説明】
【００８４】
１  放射線量測定装置
２  回転機構
３  昇降機構（スライド機構）
４（４Ａ，４Ｂ，４Ｃ）  放射線検出器
９  判定部
１００  収納容器
【図１】
2015190808.tif 000003
【図２】
2015190808.tif 000004
【図３】
2015190808.tif 000005
【図４】
2015190808.tif 000006